【手続補正書】
【提出日】平成21年10月26日(2009.10.26)
【手続補正１】
【補正対象書類名】特許請求の範囲
【補正対象項目名】全文
【補正方法】変更
【補正の内容】
【特許請求の範囲】
【請求項１】
自らの内部の電子生物の名前もしくは画像を示す情報と、「或る電子生物が伝達主体となっており他の電子生物が伝達の相手方となっているメッセージ（この項において『メッセージ』とは、『或る電子生物から他の電子生物に伝達する、或る電子生物の思想、意思、もしくは感情を含んでいる情報』をいい、その出力形態は鳴き声でもよい。）の複数の候補、及び、対戦型ゲームの一つであるジャンケンゲームにおけるグー・チョキ・パーの情報などのような『電子生物の思想、意思、もしくは感情そのものは含んでいない事実情報』であって自ら（電子生物）が他の電子生物に伝達する事実情報の複数の候補、を含む、自らの内部の電子生物が伝達の主体となっており他の電子生物生存装置の内部の他の電子生物が伝達の相手方となっている伝達情報であって、自らの内部の電子生物から他の電子生物生存装置の内部の他の電子生物へのコミュニケーション（情報の伝達）のために使用される伝達情報の複数の候補」とを、予め記録しておくための電子生物データ記録手段と、
他の電子生物生存装置の内部の他の電子生物に伝達する又は伝達しようとする伝達情報の中の『事実情報』を、前記電子生物データ記録手段に記録されている複数の候補の中から、ユーザーによる操作もしくは設定に基づいて、選択するための『事実情報』選択手段と、
「前記電子生物データ記録手段に記録されている自ら（電子生物）の名前もしくは画像を示す情報と前記『事実情報』選択手段により選択された『事実情報』とを乗せた若しくは一体化した、電波もしくは赤外線」（前記「電波もしくは赤外線」は、名前もしくは画像を示す情報と『事実情報』とを一緒に乗せた若しくは一体化したものでもよいし、名前もしくは画像を示す情報と『事実情報』とを別々に乗せた若しくは一体化したものでもよい）を、それが近距離無線がカバーする範囲内の近傍に存在する他の携帯型電子生物生存装置だけに直接に届くように、ユーザーによる事前の操作もしくは設定に基づいて、自動的に（「送信時におけるユーザーによる特別な操作」を介することなく）、近距離無線により発信するための電波等発信手段と、
他の電子生物を生存させている他の電子生物生存装置から近距離無線により発信された前記「電波もしくは赤外線」（前記「電波もしくは赤外線」は、名前もしくは画像を示す情報と『事実情報』とを一緒に乗せた若しくは一体化したものでもよいし、名前もしくは画像を示す情報と『事実情報』とを別々に乗せた若しくは一体化したものでもよい）を、近距離無線により直接に受信するための電波等受信手段と、
前記電波等受信手段が受信した電波等に基づいて取得された、前記他の電子生物の名前もしくは画像を示す情報、及び前記他の電子生物からの『事実情報』を、画面又は音声により出力するための出力手段と、
を備えたことを特徴とする、ユーザーに携帯され若しくはユーザーの身体に装着されており、その内部に電子生物を生存させている携帯型電子生物生存装置。
【請求項２】
自らの内部の電子生物の名前もしくは画像を示す情報を記録しておくための画像等記録手段と、
「或る電子生物が伝達主体となっており他の電子生物が伝達の相手方となっているメッセージ（この項において『メッセージ』とは、『或る電子生物から他の電子生物に伝達する、或る電子生物の思想、意思、もしくは感情を含んでいる情報』をいい、その出力形態は鳴き声でもよい。）の複数の候補、及び、対戦型ゲームの一つであるジャンケンゲームにおけるグー・チョキ・パーの情報などのような『電子生物の思想、意思、もしくは感情そのものは含んでいない事実情報』であって自ら（電子生物）が他の電子生物に伝達する事実情報の複数の候補、を含む、自らの内部の電子生物が伝達の主体となっており他の電子生物生存装置の内部の他の電子生物が伝達の相手方となっている伝達情報であって、自らの内部の電子生物から他の電子生物生存装置の内部の他の電子生物へのコミュニケーション（情報の伝達）のために使用される伝達情報の複数の候補」を、予め記録しておくための伝達情報記録手段（前記画像等記録手段と同一のハードウェアにより実現されるものでもよい）と、
他の電子生物生存装置の内部の他の電子生物に伝達する又は伝達しようとする伝達情報の中の『事実情報』を、前記伝達情報記録手段に記録されている複数の候補の中から、ユーザーによる操作もしくは設定に基づいて、選択するための『事実情報』選択手段と、
前記画像等記録手段に記録されている自ら（電子生物）の名前もしくは画像を示す情報を乗せた若しくは一体化した電波もしくは赤外線を、それが近距離無線がカバーする範囲内の近傍に存在する他の電子生物生存装置だけに直接に届くように、ユーザーによる事前の操作もしくは設定に基づいて、自動的に（「送信時におけるユーザーによる特別な操作」を介することなく）、近距離無線により発信するための第１電波等発信手段と、
前記『事実情報』選択手段により選択された『事実情報』を乗せた若しくは一体化した電波もしくは赤外線（前記「電波もしくは赤外線」は、名前もしくは画像を示す情報と一緒に乗せた若しくは一体化したものでもよいし、名前もしくは画像を示す情報とは別々に乗せた若しくは一体化したものでもよい）を、近距離無線により、それが前記近距離無線がカバーする範囲内の近傍に存在する他の電子生物生存装置に直接に届くように、ユーザーによる事前の操作もしくは設定に基づいて、自動的に（「送信時におけるユーザーによる特別な操作」を介することなく）、前記第１電波等発信手段により発信される電波等と対応付けて、発信するための第２電波等発信手段（前記第１電波等発信手段と同一のハードウェア若しくはソフトウェアにより実現されるものでもよい）と、
他の電子生物を生存させている他の電子生物生存装置から近距離無線により発信された前記電波もしくは赤外線（前記「電波もしくは赤外線」は、名前もしくは画像を示す情報と伝達情報とを一緒に乗せた若しくは一体化したものでもよいし、名前もしくは画像を示す情報と伝達情報とを別々に乗せた若しくは一体化したものでもよい）を、近距離無線により直接に受信するための電波等受信手段と、
前記電波等受信手段が受信した電波等に基づいて取得された、前記他の電子生物の名前もしくは画像を示す情報、及び前記他の電子生物からの『事実情報』を、画面又は音声により出力するための出力手段と、
を備えたことを特徴とする、ユーザーに携帯され若しくはユーザーの身体に装着されており、その内部に電子生物を生存させている携帯型電子生物生存装置。
【請求項３】
自らの内部の電子生物の名前もしくは画像を示す情報と、「或る電子生物が伝達主体となっており他の電子生物が伝達の相手方となっているメッセージ（この項において『メッセージ』とは、『或る電子生物から他の電子生物に伝達する、或る電子生物の思想、意思、もしくは感情を含んでいる情報』をいい、その出力形態は鳴き声でもよい。）の複数の候補、及び、対戦型ゲームの一つであるジャンケンゲームにおけるグー・チョキ・パーの情報などのような『電子生物の思想、意思、もしくは感情そのものは含んでいない事実情報』であって自ら（電子生物）が他の電子生物に伝達する事実情報の複数の候補、を含む、自らの内部の電子生物が伝達の主体となっており他の電子生物生存装置の内部の他の電子生物が伝達の相手方となっている伝達情報であって、自らの内部の電子生物から他の電子生物生存装置の内部の他の電子生物へのコミュニケーション（情報の伝達）のために使用される伝達情報の複数の候補」とを、予め記録しておくための電子生物データ記録手段と、
他の電子生物生存装置の内部の他の電子生物に伝達する又は伝達しようとする伝達情報を、前記電子生物データ記録手段に記録されている複数の候補の中から、ユーザーによる操作もしくは設定に基づいて又は自動的に、選択するための伝達情報選択手段と、
「前記電子生物データ記録手段に記録されている自ら（電子生物）の名前もしくは画像を示す情報と前記伝達情報選択手段により選択された伝達情報とを乗せた若しくは一体化した、電波もしくは赤外線」（前記「電波もしくは赤外線」は、名前もしくは画像を示す情報と伝達情報とを一緒に乗せた若しくは一体化したものでもよいし、名前もしくは画像を示す情報と伝達情報とを別々に乗せた若しくは一体化したものでもよい）を、それが近距離無線がカバーする範囲内の近傍に存在する他の携帯型電子生物生存装置だけに直接に届くように、ユーザーによる事前の操作もしくは設定に基づいて、自動的に（「送信時におけるユーザーによる特別な操作」を介することなく）、近距離無線により発信するための電波等発信手段と、
他の電子生物を生存させている他の電子生物生存装置から近距離無線により発信された前記電波もしくは赤外線（前記「電波もしくは赤外線」は、名前もしくは画像を示す情報と伝達情報とを一緒に乗せた若しくは一体化したものでもよいし、名前もしくは画像を示す情報と伝達情報とを別々に乗せた若しくは一体化したものでもよい）を、近距離無線により直接に受信するための電波等受信手段と、
前記電波等受信手段が受信した電波等に基づいて取得された、前記他の電子生物の名前もしくは画像を示す情報、及び前記他の電子生物からの伝達情報を、画面又は音声により出力するための出力手段と、
を備えたことを特徴とする、ユーザーに携帯され若しくはユーザーの身体に装着されており、その内部に電子生物を生存させている携帯型電子生物生存装置。
【請求項４】
自らの内部の電子生物の名前もしくは画像を示す情報を記録しておくための画像等記録手段と、
「或る電子生物が伝達主体となっており他の電子生物が伝達の相手方となっているメッセージ（この項において『メッセージ』とは、『或る電子生物から他の電子生物に伝達する、或る電子生物の思想、意思、もしくは感情を含んでいる情報』をいい、その出力形態は鳴き声でもよい。）の複数の候補、及び、対戦型ゲームの一つであるジャンケンゲームにおけるグー・チョキ・パーの情報などのような『電子生物の思想、意思、もしくは感情そのものは含んでいない事実情報』であって自ら（電子生物）が他の電子生物に伝達する事実情報の複数の候補、を含む、自らの内部の電子生物が伝達の主体となっており他の電子生物生存装置の内部の他の電子生物が伝達の相手方となっている伝達情報であって、自らの内部の電子生物から他の電子生物生存装置の内部の他の電子生物へのコミュニケーション（情報の伝達）のために使用される伝達情報の複数の候補」を、予め記録しておくための伝達情報記録手段（前記画像等記録手段と同一のハードウェアにより実現されるものでもよい）と、
他の電子生物生存装置の内部の他の電子生物に伝達する又は伝達しようとする伝達情報を、前記伝達情報記録手段に記録されている複数の候補の中から、ユーザーによる操作もしくは設定に基づいて又は自動的に、選択するための伝達情報選択手段と、
前記画像等記録手段に記録されている自ら（電子生物）の名前もしくは画像を示す情報を乗せた若しくは一体化した電波もしくは赤外線を、それが近距離無線がカバーする範囲内の近傍に存在する他の電子生物生存装置だけに直接に届くように、ユーザーによる事前の操作もしくは設定に基づいて、自動的に（「送信時におけるユーザーによる特別な操作」を介することなく）、近距離無線により発信するための第１電波等発信手段と、
前記伝達情報選択手段により選択された伝達情報を乗せた若しくは一体化した電波もしくは赤外線（前記「電波もしくは赤外線」は、名前もしくは画像を示す情報と一緒に乗せた若しくは一体化したものでもよいし、名前もしくは画像を示す情報とは別々に乗せた若しくは一体化したものでもよい）を、それが近距離無線がカバーする範囲内の近傍に存在する他の電子生物生存装置に直接に届くように、ユーザーによる事前の操作もしくは設定に基づいて、自動的に（「送信時におけるユーザーによる特別な操作」を介することなく）、前記第１電波等発信手段により発信される電波等と対応付けて、近距離無線により発信するための第２電波等発信手段（前記第１電波等発信手段と同一のハードウェア若しくはソフトウェアにより実現されるものでもよい）と、
他の電子生物を生存させている他の電子生物生存装置から近距離無線により発信された前記電波もしくは赤外線（前記「電波もしくは赤外線」は、名前もしくは画像を示す情報と伝達情報とを一緒に乗せた若しくは一体化したものでもよいし、名前もしくは画像を示す情報と伝達情報とを別々に乗せた若しくは一体化したものでもよい）を、近距離無線により直接に受信するための電波等受信手段と、
前記電波等受信手段が受信した電波等に基づいて取得された、前記他の電子生物の名前もしくは画像を示す情報、及び前記他の電子生物からの伝達情報を、画面又は音声により出力するための出力手段と、
を備えたことを特徴とする、ユーザーに携帯され若しくはユーザーの身体に装着されており、その内部に電子生物を生存させている携帯型電子生物生存装置。
【請求項５】
自らの内部の電子生物の名前もしくは画像を示す情報と、「或る電子生物が伝達主体となっており他の電子生物が伝達の相手方となっているメッセージ（この項において『メッセージ』とは、『或る電子生物から他の電子生物に伝達する、或る電子生物の思想、意思、もしくは感情を含んでいる情報』をいい、その出力形態は鳴き声でもよい。）の複数の候補、及び、対戦型ゲームの一つであるジャンケンゲームにおけるグー・チョキ・パーの情報などのような『電子生物の思想、意思、もしくは感情そのものは含んでいない事実情報』であって自ら（電子生物）が他の電子生物に伝達する事実情報の複数の候補、を含む、自らの内部の電子生物が伝達の主体となっており他の電子生物生存装置の内部の他の電子生物が伝達の相手方となっている伝達情報であって、自らの内部の電子生物から他の電子生物生存装置の内部の他の電子生物へのコミュニケーション（情報の伝達）のために使用される伝達情報の複数の候補」とを、予め記録しておくための電子生物データ記録手段と、
他の電子生物生存装置の内部の他の電子生物に伝達する又は伝達しようとする伝達情報を、前記電子生物データ記録手段に記録されている複数の候補の中から、ユーザーによる操作もしくは設定に基づいて又は自動的に、選択するための伝達情報選択手段と、
「前記電子生物データ記録手段に記録されている自ら（電子生物）の名前もしくは画像を示す情報と前記伝達情報選択手段により選択された伝達情報とを乗せた若しくは一体化した、電波もしくは赤外線」（前記「電波もしくは赤外線」は、名前もしくは画像を示す情報と伝達情報とを一緒に乗せた若しくは一体化したものでもよいし、名前もしくは画像を示す情報と伝達情報とを別々に乗せた若しくは一体化したものでもよい）を、それが近距離無線がカバーする範囲内の近傍に存在する他の携帯型電子生物生存装置だけに直接に届くように、ユーザーによる事前の操作もしくは設定に基づいて、予め決められた時間毎に、自動的に（「送信時におけるユーザーによる特別な操作」を介することなく）、近距離無線により発信するための電波等発信手段と、
他の電子生物を生存させている他の電子生物生存装置から近距離無線により発信された前記電波もしくは赤外線（前記「電波もしくは赤外線」は、名前もしくは画像を示す情報と伝達情報とを一緒に乗せた若しくは一体化したものでもよいし、名前もしくは画像を示す情報と伝達情報とを別々に乗せた若しくは一体化したものでもよい）を、近距離無線により直接に受信するための電波等受信手段と、
前記電波等受信手段が受信した電波等に基づいて取得された、前記他の電子生物の名前もしくは画像を示す情報、及び前記他の電子生物からの伝達情報を、画面又は音声により出力するための出力手段と、
を備えたことを特徴とする、ユーザーに携帯され若しくはユーザーの身体に装着されており、その内部に電子生物を生存させている携帯型電子生物生存装置。
【請求項６】
自らの内部の電子生物の名前もしくは画像を示す情報を記録しておくための画像等記録手段と、
「或る電子生物が伝達主体となっており他の電子生物が伝達の相手方となっているメッセージ（この項において『メッセージ』とは、『或る電子生物から他の電子生物に伝達する、或る電子生物の思想、意思、もしくは感情を含んでいる情報』をいい、その出力形態は鳴き声でもよい。）の複数の候補、及び、対戦型ゲームの一つであるジャンケンゲームにおけるグー・チョキ・パーの情報などのような『電子生物の思想、意思、もしくは感情そのものは含んでいない事実情報』であって自ら（電子生物）が他の電子生物に伝達する事実情報の複数の候補、を含む、自らの内部の電子生物が伝達の主体となっており他の電子生物生存装置の内部の他の電子生物が伝達の相手方となっている伝達情報であって、自らの内部の電子生物から他の電子生物生存装置の内部の他の電子生物へのコミュニケーション（情報の伝達）のために使用される伝達情報の複数の候補」を、予め記録しておくための伝達情報記録手段（前記画像等記録手段と同一のハードウェアにより実現されるものでもよい）と、
他の電子生物生存装置の内部の他の電子生物に伝達する又は伝達しようとする伝達情報を、前記伝達情報記録手段に記録されている複数の候補の中から、ユーザーによる操作もしくは設定に基づいて又は自動的に、選択するための伝達情報選択手段と、
前記画像等記録手段に記録されている自ら（電子生物）の名前もしくは画像を示す情報を乗せた若しくは一体化した電波もしくは赤外線を、それが近距離無線がカバーする範囲内の近傍に存在する他の電子生物生存装置だけに直接に届くように、ユーザーによる事前の操作もしくは設定に基づいて、予め決められた時間毎に、自動的に（「送信時におけるユーザーによる特別な操作」を介することなく）、近距離無線により発信するための第１電波等発信手段と、
前記伝達情報選択手段により選択された伝達情報を乗せた若しくは一体化した電波もしくは赤外線（前記「電波もしくは赤外線」は、名前もしくは画像を示す情報と一緒に乗せた若しくは一体化したものでもよいし、名前もしくは画像を示す情報とは別々に乗せた若しくは一体化したものでもよい）を、それが近距離無線がカバーする範囲内の近傍に存在する他の電子生物生存装置に直接に届くように、ユーザーによる事前の操作もしくは設定に基づいて、予め決められた時間毎に、自動的に（「送信時におけるユーザーによる特別な操作」を介することなく）、前記第１電波等発信手段により発信される電波等と対応付けて、近距離無線により発信するための第２電波等発信手段（前記第１電波等発信手段と同一のハードウェア若しくはソフトウェアにより実現されるものでもよい）と、
他の電子生物を生存させている他の電子生物生存装置から近距離無線により発信された前記電波もしくは赤外線（前記「電波もしくは赤外線」は、名前もしくは画像を示す情報と伝達情報とを一緒に乗せた若しくは一体化したものでもよいし、名前もしくは画像を示す情報と伝達情報とを別々に乗せた若しくは一体化したものでもよい）を、近距離無線により直接に受信するための電波等受信手段と、
前記電波等受信手段が受信した電波等に基づいて取得された、前記他の電子生物の名前もしくは画像を示す情報、及び前記他の電子生物からの伝達情報を、画面又は音声により出力するための出力手段と、
を備えたことを特徴とする、ユーザーに携帯され若しくはユーザーの身体に装着されており、その内部に電子生物を生存させている携帯型電子生物生存装置。
【請求項７】
請求項１から６までのいずれかにおいて、
前記発信される電波もしくは赤外線は、「前記名前もしくは画像を示す情報及び／又は前記伝達情報の伝達主体である電子生物又はその電子生物を生存させる装置の識別データと対応付けられた、前記名前もしくは画像を示す情報及び／又は前記伝達情報」を乗せた若しくは一体化したものであり、
他の電子生物からの名前もしくは画像を示す情報と伝達情報と前記識別データとが前記電波等受信手段により受信された電波等により取得されたことに基づいて、「自ら（電子生物）の名前もしくは画像を示す情報と自ら（電子生物）を伝達主体とする伝達情報とを乗せた若しくは一体化した、電波もしくは赤外線」（前記「電波もしくは赤外線」は、名前もしくは画像を示す情報と伝達情報とを一緒に乗せた若しくは一体化したものでもよいし、名前もしくは画像を示す情報と伝達情報とを別々に乗せた若しくは一体化したものでもよい）を、それが近距離無線がカバーする範囲内の近傍に存在する前記識別データに対応する他の電子生物生存装置だけに直接に届くように、ユーザーによる事前の操作もしくは設定に基づいて、自動的に（「送信時におけるユーザーによる特別な操作」を介することなく）、近距離無線により発信するための返信手段（前記発信手段と同一のハードウェアもしくはソフトウェアにより実現されるものでもよい）と、
を備えたことを特徴とする、内部に電子生物を生存させている電子生物生存装置。
【請求項８】
近傍のエリアに居る他の電子生物生存装置に受信されるように、「電子生物による所定の挨拶信号」を、無線で送信するための挨拶信号送信手段と、
近傍のエリアにある他の電子生物生存装置から無線で送信された「電子生物による所定の挨拶信号」を受信するための挨拶信号受信手段と、
を含むことを特徴とする、ユーザーに携帯され若しくはユーザーの身体に装着されており、その内部に電子生物を生存させている携帯型電子生物生存装置。
【手続補正２】
【補正対象書類名】明細書
【補正対象項目名】００１０
【補正方法】変更
【補正の内容】
【００１０】
本発明はこのような課題に着目してなされたものであって、たまたま近くに居合わせたユーザーたちに（特に、たまたま近くに居合わせた互いに知らないユーザーたちに）、互いのコミュニケーションを開始したり互いの交流を活発化するための「切っ掛け」を与えたり、前記コミュニケーションや交流の「仲立ち」となったりすることができる、携帯型電子生物生存装置を提供する、ことを目的とする。
【手続補正３】
【補正対象書類名】明細書
【補正対象項目名】００１１
【補正方法】変更
【補正の内容】
【００１１】
用語の定義．
まず、本発明において使用する用語の定義をしておく。本発明の「携帯型電子生物生存装置」の外観形状は、従来の「たまごっち」のようなキーホルダー型、イヤリング型やブローチ型などのような身体装着型でもよいし、指輪・ベルト・ペンダント・イヤリングなどの形状と機能を合わせ有するものとして構成してもよいし、携帯電話、ＰＨＳ（簡易型携帯電話）、携帯情報端末（ＰＤＡ）、腕時計、又は携帯型ノートパソコン（コンピュータ）などに内蔵するタイプのものとして構成してもよいし、鞄や靴などに内蔵したり鞄や靴の表面に取り付けるタイプのものでもよいし、人形や縫いぐるみの形状などのようなそれ自体が「可愛らしい感じの形状」を有するものの中に組み込むようにしてもよい。
また、本発明の「電子生物」は、電子ペット（犬や猫や鳥などを擬した、ディスプレイ画面上の仮想的な電子的ペットや架空の動物ペット）、電子的な植物（現実の花や樹木を擬したものや架空の植物で、画面上の仮想的な存在）、電子的な子供キャラクタ、電子的な怪獣キャラクタなどの、様々なタイプのものを含む。また、本発明の「電子生物生存装置」の「生存」には、育成、飼育、生活など様々な生存の態様・タイプを含む。
また、本発明において、「挨拶信号」は、例えば、電子生物の鳴き声を示す音声信号でもよいし、「こんにちは」「ハロー」「もしもし」などの意味を象徴する単純な信号（音声信号又は画像信号などの信号）でもよいし、「私の名前は・・・です。友達になりませんか」というメッセージ・文章を示すものでもよいし、後述の「電子生物に関するデータ（電子生物データ）そのもの（これも、一種の「挨拶としての自己紹介の文章」になりうる）」でもよい。
なお、本明細書では、返信する「挨拶信号」を「返答信号」と呼ぶこともある。また本発明において、電子生物同士が「自発的に交信する」とは、「ユーザーの特別な操作を必要することなく（勝手に・自動的に）交信する」、という意味である。
また、本発明において、「挨拶信号」の送信は、例えば、（１）ユーザーが予め設定した所定時間毎に（例えば、３秒ごと、３０秒ごと、３分間ごと）周辺のエリアに向けて無線送信するものでもよいし、（２）戸外では常時無線送信するようにしてもよいし、（３）ユーザーが希望するときだけそのユーザーの操作により無線送信する、ようにしてもよい。
また本発明において、「挨拶信号が受信されたとき、そのことをユーザーに知らせる報知手段」は、光、音（音響・音声）、振動などにより、ユーザーに対して注意を喚起するか又は所定の情報を知らせるものである。また本発明において、「電子生物の存在又はその居場所を周囲の人に知らせるための告知手段」は、光や音などにより、周囲の人に対して注意を喚起するか又は所定の情報を知らせるものである。
また本発明において、後述の「挨拶信号送信手段」は、挨拶信号を、赤外線、電波などの電磁波や超音波などの様々な媒体を使用して、送信するものである（以下の「挨拶返信手段」「電子生物データ送信手段」などの「送信手段」も、ほぼ同様である）。
また本発明において、後述の「告知手段」は、例えば、光、音響（電子生物の鳴き声など）、音声（電子生物の「こんちには」などの音声）、又は振動などにより、電子生物の存在又はその居場所を、その周囲の人に、その五感により知らせるものであり、発光体やスピーカやバイブレーション（振動体）などで構成される。これにより、電子生物は、前記挨拶信号の送信により、周囲の人が持っている他の電子生物生存装置に自己の存在を示す信号又は情報を送る（このとき、前述のように、この挨拶信号を送信された携帯型電子生物生存装置の側では、光や音や振動でそのことを、そのユーザーに知らせることができる）が、これと共に、自己の携帯型装置においても、光や音などを発して、自己の存在やその居場所を周囲の人に自己の存在又はその居場所を知らせることができる。つまり、これにより、周囲の人に、自己の存在をより確実に知らせることができるようになる。
【手続補正４】
【補正対象書類名】明細書
【補正対象項目名】００１２
【補正方法】変更
【補正の内容】
【００１２】
第１  本願で特許を請求する部分は、本願の特許請求の範囲に記載された発明である。

第２  また、「本願の特許請求の範囲に記載された発明」そのものではないが、本願明細書は次のような発明も提案している。
１．ユーザーが携帯する電子生物生存装置であって、近傍のエリアにある他の電子生物生存装置に受信されるように、「電子生物による所定の挨拶信号」を、無線で送信するための挨拶信号送信手段と、近傍のエリアにある他の電子生物生存装置から無線で送信された「その電子生物による所定の挨拶信号」を受信するための挨拶信号受信手段と、を含むことを特徴とする携帯型電子生物生存装置。
２．上記１において、前記挨拶信号送信手段は、予め定められた所定時間毎に、挨拶信号を送信するものである、ことを特徴とする携帯型電子生物生存装置。
３．上記１において、さらに、近傍のエリアに他人又は他の電子生物生存装置が居ることを検知する検知手段を含み、前記挨拶信号送信手段は、この検知手段からの出力に基づいて、挨拶信号を送信するものである、ことを特徴とする携帯型電子生物生存装置。
４．上記１，２又は３において、さらに、前記挨拶信号受信手段により所定の挨拶信号が受信されたとき、そのことをユーザーに知らせる報知手段、を含むことを特徴とする携帯型電子生物生存装置。
５．上記１から４までのいずれかにおいて、さらに、前記挨拶信号受信手段により所定の挨拶信号が受信されたとき、その挨拶信号を送信した他の携帯型電子生物生存装置に対して、自発的に（ユーザーの特別な操作を必要としないで）、所定の挨拶信号を無線で返信する挨拶信号返信手段、を含むことを特徴とする携帯型電子生物生存装置。
６．上記１から５までのいずれかにおいて、さらに、電子生物に関するデータを記録する電子生物データ記録手段と、この電子生物データ記録手段に記録された電子生物データを、前記挨拶信号と共に又は前記挨拶信号とは別に、送信する電子生物データ送信手段と、他の電子生物生存装置から無線で送信された電子生物データを受信する電子生物データ受信手段と、この電子生物データ受信手段により受信された電子生物データを出力する出力手段と、を備えたことを特徴とする携帯型電子生物生存装置。
７．上記１から６までのいずれかにおいて、さらに、電子生物のユーザーに関するデータを記録するユーザー・データ記録手段と、このユーザー・データ記録手段に記録されたユーザー・データを、前記挨拶信号と共に又は前記挨拶信号とは別に（例えば、前記挨拶信号に続けて）、送信するユーザー・データ送信手段と、他の電子生物生存装置から無線で送信されたユーザー・データを受信するユーザー・データ受信手段と、このユーザー・データ受信手段により受信されたユーザー・データを出力する出力手段と、を備えたことを特徴とする携帯型電子生物生存装置。
８．上記１から７までのいずれかにおいて、さらに、前記挨拶信号を送信するとき、送信する側の電子生物の存在又はその居場所を周囲の人に知らせるための挨拶送信告知手段、を備えたことを特徴とする携帯型電子生物生存装置。
９．上記１から８までのいずれかにおいて、さらに、前記挨拶信号を受信したとき、受信した側の電子生物の存在又はその居場所を周囲の人に知らせるための挨拶受信告知手段、を備えたことを特徴とする携帯型電子生物生存装置。
１０．上記５から９までのいずれかにおいて、さらに、前記挨拶信号を返信するとき、返信する側の電子生物の存在又はその居場所を周囲の人に知らせるための挨拶返信告知手段、を備えたことを特徴とする携帯型電子生物生存装置。
１１．上記１から１０までのいずれかにおいて、さらに、他の携帯型電子生物生存装置から送信された電子生物データ又はユーザー・データと、自己の電子生物データ又はユーザー・データと、を比較して、双方の電子生物又はユーザーの間の類似度又は相性度を判定する類似度又は相性度判定手段と、この類似度又は相性度判定手段による判定結果を出力する判定結果出力手段と、を含むことを特徴とする携帯型電子生物生存装置。
１２．上記１から１０までのいずれかにおいて、さらに、他の携帯型電子生物生存装置から送信された電子生物データ又はユーザー・データと、自己の電子生物データ又はユーザー・データと、を比較して、双方の電子生物又はユーザーの間の類似度又は相性度を判定する類似度又は相性度判定手段と、この類似度又は相性度判定手段により類似度又は相性度が比較的高いと判定されたときは、ユーザーにそのことを知らせるために所定の告知をする判定告知手段と、を含むことを特徴とする携帯型電子生物生存装置。
１３．上記１から１２までのいずれかにおいて、さらに、互いに近傍のエリア内にある２つの携帯型電子生物生存装置の間で、電子生物同士が無線で交信して、相互間の鳴き声のやり取り、会話のやり取り、ゲームのやり取り、戦闘のやり取り、お見合いのやり取りなどの「情報のやり取り」をユーザーの特別な操作によらずに自発的に行うための自発的交信手段、を備えたことを特徴とする携帯型電子生物生存装置。
【手続補正５】
【補正対象書類名】明細書
【補正対象項目名】００１３
【補正方法】変更
【補正の内容】
【００１３】
本発明においては、互いに近傍に存在する少なくとも２つの携帯型電子生物生存装置が、それぞれ、各内部に生存する電子生物の名前もしくは画像を示す情報とその電子生物が伝達の主体となっている伝達情報とを乗せた若しくは一体化した電波もしくは赤外線を、近距離無線がカバーする範囲内の近傍に存在する他の携帯型電子生物生存装置だけに直接に届くように近距離無線により発信すると共に、各「他の携帯型電子生物生存装置」から発信された前記電波等を直接に近距離無線により受信するという構成（技術的思想）を採用しているので、「ユーザーから見ると、互いに近傍に居る電子生物同士が自然にコミュニケーション（情報の伝達）を開始し又は行っているかのような状態」が自動的に（ユーザーから見ると自然な形で）作出されるようになるため、このような「状態」が自動的に作出されることを通じて、たまたま近くに居合わせたユーザーたちに（特に、たまたま近くに居合わせた互いに知らないユーザーたちに）、互いのコミュニケーションを開始したり互いの交流を活発化するための「切っ掛け」を与えたり、前記コミュニケーションや交流を促進したりすることができる、ようになる。
【手続補正６】
【補正対象書類名】明細書
【補正対象項目名】００１４
【補正方法】変更
【補正の内容】
【００１４】
すなわち、本発明によれば、電子生物のユーザー同士（特にそれまでは互いに知らなかったユーザー同士）が、電子生物を「仲立ち・きっかけ」として、会話をしたり知り合いになることができるようになる。つまり、我々の日常生活では、ペットや子供を「きっかけ」「仲立ち」として初対面の者同士が会話をしたり知り合いになることが多い。前記ではペットについて述べたが、ペットを介して知り合いになるのと同様に、子供同士を通じて知り合いになることも多い（幼児を公園に連れていって遊ばせている母親が、その公園にいた同じ年頃の幼児をもつ母親と知り合いになることは多い）。本発明によれば、このようなペットや子供によるコミュニケーションの「仲立ち」「きっかけ」の機能を、携帯型電子生物生存装置の電子生物が担うことができる。よって、本発明によれば、電子生物又は電子生物生存装置の新しい機能・役割（ユーザー同士のコミュニケーションの仲立ちをするという機能・役割）を付与した「ユーザー同士のコミュニケーションのためのツール」として、その付加価値をより高め、「現実のペットなどの生物」（現実のペットなどの生物は、そのペットなどの所有者同士が、ペットなどを「きっかけ」に知り合いになったり会話をしたりして、ペットなどがユーザー同士の生身のコミュニケーションに寄与することが多い）に「より近づける」ことができる。